(57)【要約】【課題】基地局間の負荷を分散させるためのハンドオーバにおいてハンドオーバ中やハンドオーバ後に移動端末のエントリが外れる可能性を低減する技術を提供する。【解決手段】基地局は、割り当てられた複数の周波数のいずれかである第一の周波数の負荷が所定の負荷条件を満たしたら、その第一の周波数で接続している各移動端末の搬送波対干渉雑音比を測定する。そして、基地局は、第一の周波数で接続している移動端末の中から、搬送波対干渉雑音比に基づいて選択した移動端末に、第一の周波数と異なる第二の周波数へハンドオーバさせる。【選択図】図１
2012015838.tif 000002
【特許請求の範囲】
【請求項１】
複数の周波数のそれぞれで移動端末と接続する無線接続手段と、
前記無線接続手段における移動端末との接続により、前記複数の周波数のいずれかである第一の周波数の負荷が所定の負荷条件を満たしたら、該第一の周波数で接続している各移動端末の搬送波対干渉雑音比を測定し、該第一の周波数で接続している前記移動端末の中から、該搬送波対干渉雑音比に基づいて選択した移動端末に、前記第一の周波数と異なる第二の周波数へハンドオーバさせる負荷分散手段と、を有する基地局装置。
【請求項２】
前記負荷条件は、接続している移動端末が所定数を超えたという条件である、請求項１に記載の基地局装置。
【請求項３】
前記負荷分散手段は、前記第二の周波数で接続している移動端末が所定数を超えていない場合に限り、前記選択した移動端末を該第二の周波数へハンドオーバさせる、請求項２に記載の基地局装置。
【請求項４】
前記負荷分散手段は、ハンドオーバさせる移動端末として、前記搬送波対干渉雑音比が悪いものから優先的に選択する、請求項１から３のいずれか一項に記載の基地局装置。
【請求項５】
前記負荷分散手段は、前記第一の周波数で接続している前記各移動端末の受信信号強度を更に測定し、前記受信信号強度と前記搬送波対干渉雑音比に基づいて、ハンドオーバさせる移動端末を選択する、請求項１から４のいずれか一項に記載の基地局装置。
【請求項６】
前記第一の周波数と前記第二の周波数は周波数帯が異なる、請求項１から５のいずれか一項に記載の基地局装置。
【請求項７】
複数の周波数が割り当てられ、それぞれの周波数で移動端末と接続する基地局装置の負荷分散方法であって、
前記複数の周波数のいずれかである第一の周波数で接続している移動端末が所定数を超えたら、該第一の周波数で接続している各移動端末の搬送波対干渉雑音比を測定し、
該第一の周波数で接続している前記移動端末の中から、該搬送波対干渉雑音比に基づいて選択した移動端末に、前記第一の周波数と異なる第二の周波数へハンドオーバさせる、負荷分散方法。
【発明の詳細な説明】
【技術分野】
【０００１】
本発明は、無線通信システムにおける基地局の負荷を分散する技術に関する。
【背景技術】
【０００２】
ＷｉＭＡＸ（Ｔｈｅ  Ｗｏｒｌｄｗｉｄｅ  Ｉｎｔｅｒｏｐｅｒａｂｉｌｉｔｙ  Ｆｏｒ  Ｍｉｃｒｏｗａｖｅ  Ａｃｃｅｓｓ  Ｔｅｃｈｎｏｌｏｇｙ）のような無線通信システムでは、複数の基地局がそれぞれに接続している移動端末を制御する。また、１つの基地局に複数の周波数が割り当てられ、それら複数のＦＡ（Ｆｒｅｑｕｅｎｃｙ  Ａｓｓｉｇｎｍｅｎｔ）のそれぞれに移動端末が接続するという構成が採られる場合もある。その場合、基地局は、各ＦＡについて移動端末の接続および制御を行う。
【０００３】
上述した無線通信システムでは、移動端末が必ずしも各基地局あるいは基地局内の各ＦＡに均等に接続している訳ではない。ある基地局あるいはあるＦＡに負荷が集中することもありうる。例えば、ある基地局は多数の移動端末が接続し、多数の移動端末を制御しているのに対して、その基地局に隣接した基地局に接続している移動端末は少ないという状況があり得る。その場合、無線通信システム全体としては有限の周波数資源を効率良く利用できていない状態となる。
【０００４】
このような問題に対して、ハンドオーバで移動端末の接続する基地局を切り替えることにより、基地局間の負荷を分散して均等化する技術が特許文献１に開示されている。特許文献１に開示された技術では、各基地局は自局の負荷状況を取得し、その負荷が所定値を超えると、自局に接続している移動端末を、負荷が所定値を超えておらずかつ電波受信レベルの高い他の基地局にハンドオーバさせる。特許文献１の技術では、この処理により基地局間の負荷分散が図られている。
【先行技術文献】
【特許文献】
【０００５】
【特許文献１】特開２００８−２１１６４５号公報
【非特許文献】
【０００６】
【非特許文献１】ＩＥＥＥ  Ｓｔｄ  ８０２．１６ｅ−２００５  ａｎｄ  ＩＥＥＥ  Ｓｔｄ  ８０２．１６−２００４／Ｃｏｒ  １−２００５（Ａｍｅｎｄｍｅｎｔ  ａｎｄ  Ｃｏｒｒｉｇｅｎｄｕｍ  ｔｏ  ＩＥＥＥ  Ｓｔｄ  ８０２．１６−２００４）、  ２８  Ｆｅｂｒｕａｒｙ  ２００６
【非特許文献２】ＩＥＥＥ  Ｓｔｄ  ８０２．１６−２００９（Ｒｅｖｉｓｉｏｎ  ｏｆ  ＩＥＥＥ  Ｓｔｄ  ８０２．１６−２００４）、  ２９  Ｍａｙ  ２００９
【非特許文献３】ＷｉＭＡＸ  Ｆｏｒｕｍ  Ｎｅｔｗｏｒｋ  Ａｒｃｈｉｔｅｃｔｕｒｅ  （Ｓｔａｇｅ  ３：  Ｄｅｔａｉｌｅｄ  Ｐｒｏｔｏｃｏｌｓ  ａｎｄ  Ｐｒｏｃｅｄｕｒｅｓ）  Ｒｅｌｅａｓｅ  １．２、Ｄｅｃｅｍｂｅｒ  ２６，  ２００７
【発明の概要】
【発明が解決しようとする課題】
【０００７】
上述したように、特許文献１に開示された技術では、電波受信レベルの高い基地局がハンドオーバ先として選択される。しかし、電波受信レベルが良好であったとしても、ハンドオーバ先の基地局の干渉や雑音が高ければ、移動端末は良好な通信を行うことができず、ハンドオーバ中あるいはハンドオーバ後にエントリが外れてしまう可能性がある。
【０００８】
本発明の目的は、基地局間の負荷を分散させるためのハンドオーバにおいてハンドオーバ中やハンドオーバ後に移動端末のエントリが外れる可能性を低減する技術を提供することである。
【課題を解決するための手段】
【０００９】
上記目的を達成するために、本発明の基地局装置は、
複数の周波数のそれぞれで移動端末と接続する無線接続手段と、
前記無線接続手段における移動端末との接続により、前記複数の周波数のいずれかである第一の周波数の負荷が所定の負荷条件を満たしたら、該第一の周波数で接続している各移動端末の搬送波対干渉雑音比を測定し、該第一の周波数で接続している前記移動端末の中から、該搬送波対干渉雑音比に基づいて選択した移動端末に、前記第一の周波数と異なる第二の周波数へハンドオーバさせる負荷分散手段と、を有している。
【００１０】
本発明の負荷分散方法は、複数の周波数が割り当てられ、それぞれの周波数で移動端末と接続する基地局装置の負荷分散方法であって、
前記複数の周波数のいずれかである第一の周波数で接続している移動端末が所定数を超えたら、該第一の周波数で接続している各移動端末の搬送波対干渉雑音比を測定し、
該第一の周波数で接続している前記移動端末の中から、該搬送波対干渉雑音比に基づいて選択した移動端末に、前記第一の周波数と異なる第二の周波数へハンドオーバさせるものである。
【発明の効果】
【００１１】
本発明によれば、基地局間の負荷を分散させるためのハンドオーバにおいてハンドオーバ中やハンドオーバ後に移動端末のエントリが外れる可能性を低減する。
【図面の簡単な説明】
【００１２】
【図１】本実施形態による無線通信システムの構成を示すブロック図である。
【図２】本実施形態による基地局１１の構成を示すブロック図である。
【図３】本実施例におけるハンドオーバ手順を示すシーケンス図である。
【図４】本実施例による基地局１１の負荷分散部２１の動作を示すシーケンス図である。
【図５】周波数毎の負荷状況が別個独立の構成で管理されている場合のハンドオーバ手順を示すシーケンス図である。
【図６】図５の実施例における負荷分散部２１の動作を示すシーケンス図である。
【発明を実施するための形態】
【００１３】
本発明を実施するための形態について図面を参照して詳細に説明する。
【００１４】
図１は、本実施形態による無線通信システムの構成を示すブロック図である。図１を参照すると、無線通信システムは基地局１１と移動端末１２とを有している。
【００１５】
基地局１１には周波数帯が異なる２つの周波数が割り当てられており、各周波数（ＦＡ１、２）内の複数のチャネルの割り当てをそれぞれに管理し、それぞれの周波数のチャネルで複数の移動端末１２と接続する。これにより、移動端末１２が基地局１１のその周波数にエントリした状態となる。なお、図１には、１つの基地局１１だけが描かれているが、通常は複数の基地局１１が配置される。
【００１６】
移動端末１２は、基地局１１と無線接続して通信を行う端末装置である。移動端末１２は、基地局１１間あるいは基地局１１内の周波数間でハンドオーバを行うことができる。
【００１７】
図２は、本実施形態による基地局１１の構成を示すブロック図である。図２を参照すると、基地局１１は、負荷分散部２１と無線接続部２２を有している。
【００１８】
無線接続部２２は、基地局１１に割り当てられた２つの周波数のそれぞれのチャネルで移動端末１２と接続する。
【００１９】
負荷分散部２１は、各周波数における負荷が予め定められた負荷条件を満たすか否かに基づき、負荷分散のための基地局主導のハンドオーバを実施するか否か判断する。負荷条件として、例えば、無線接続部２２において２つの周波数のうち一方の周波数で接続している移動端末１２が所定数を超え、他方の周波数で接続している移動端末１２が所定数を超えていなければ、基地局主導のハンドオーバを実施することを決める。そして、負荷分散部２１は、次に、移動端末１２が所定数を超えている周波数で接続している各移動端末１２の搬送波対干渉雑音比（ＣＩＮＲ：Ｃａｒｒｉｅｒ  ｔｏ  Ｉｎｔｅｒｆｅｒｅｎｃｅ  Ｐｌｕｓ  Ｎｏｉｓｅ  Ｒａｔｉｏ）を測定する。続いて、負荷分散部２１は、その周波数で接続している移動端末１２の中から、搬送波対干渉雑音比に基づいて選択した移動端末１２に異なる周波数へのハンドオーバを行わせる。
【００２０】
以上説明したように、本実施形態によれば、基地局１１が、いずれかのＦＡの負荷が高くなると、搬送波対干渉雑音比に基づいて選択した移動端末１２を異なる周波数へハンドオーバさせる。そのため、搬送波対干渉雑音比を考慮したハンドオーバにより、ハンドオーバ中やハンドオーバ後に移動端末のエントリが外れる可能性が低減され、安定した動作で負荷分散を行うことができる。
【００２１】
なお、ここでは、負荷条件として、各周波数で接続している移動端末１２の台数が所定数を超えているか否かを用いたが、本発明は、これに限定されるものではない。他の例として、上りあるいは下りの無線リソースの使用率が所定の閾値を超えているか否かを負荷条件の判断に用いてもよい。また、接続している移動端末１２の台数と、上りあるいは下りの無線リソースの使用率の両方を用いて負荷条件を判断してもよい。
【００２２】
以下、本実施形態のより具体的な実施例について説明する。
【００２３】
本実施例の無線通信システムの構成は図１に示したのと同じものである。また、本実施例の基地局１１の基本的な構成は図２に示したのと同じものである。
【００２４】
本実施例では、負荷分散部２１は、無線接続部２２において２つの周波数のうちいずれかの周波数で接続している移動端末１２の数が第一の閾値を超えたら、その周波数で接続している各移動端末１２の受信信号強度（ＲＳＳＩ：Ｒｅｃｉｅｖｅ  Ｓｉｇｎａｌ  Ｓｔｒｅｎｇｔｈ  Ｉｎｄｉｃａｔｅｒ）と搬送波対干渉雑音比を測定する。続いて、負荷分散部２１は、その周波数で接続している移動端末１２の中から、受信信号強度と搬送波対干渉雑音比に基づいて、ハンドオーバをさせる移動端末１２を選択する。
【００２５】
例えば、受信信号強度と搬送波対干渉雑音比とから所定の演算式により無線接続環境を示す指標値を算出し、その指標値が小さい移動端末１２から優先的に選択することにしてもよい。その際、受信信号強度の値が小さい程、指標値が小さくなり、かつ、搬送波対干渉雑音比の値が小さい程、指標値が小さくなるような演算式を用いればよい。
【００２６】
同一の基地局１１による２つの周波数間でも搬送波対干渉雑音比に差異が生じることが考えられる。これに基づいて無線接続環境が悪い移動端末１２を優先的に選択することにより、ハンドオーバにより無線接続環境の改善が期待でき、移動端末のエントリが外れる可能性が低減される。
【００２７】
また、このとき、負荷分散部２１は、上りおよび下りの受信信号強度および搬送波対干渉雑音比を測定し、その測定結果から、ハンドオーバをさせる移動端末１２を選択することにしてもよく、上りあるいは下りのどちらか一方の受信信号強度および搬送波対干渉雑音比を測定し、その測定結果から、ハンドオーバをさせる移動端末１２を選択することにしてもよい。
【００２８】
上りの受信信号強度および搬送波対干渉雑音比は、基地局１１が自身で測定することができる。一方、下りの受信信号強度および搬送波対干渉雑音比は、基地局１１が自身で測定することはできないが、移動端末１２から基地局１１に通知させることができる。移動端末１２は、自身が測定した下りの受信信号強度および搬送波対干渉雑音比を、ＩＥＥＥ８０２．１６に定義されている、ＲＥＰ−ＲＥＱ／ＲＳＰ（Ｒｅｐｏｒｔ−Ｒｅｑｕｅｓｔ／Ｒｅｓｐｏｎｓｅ）、もしくはＣＱＩＣＨ（Ｃｈａｎｎｅｌ  Ｑｕａｌｉｔｙ  Ｉｎｆｏｒｍａｔｉｏｎ  Ｃｈａｎｎｅｌ：チャンネル品質情報チャネル）によって基地局に通知することができる。
【００２９】
また、負荷分散部２１は、ハンドオーバ先の周波数で接続している移動端末１２の数が第二の閾値を超えていない場合に限り、選択した移動端末１２をハンドオーバさせることにしてもよい。その場合、第二の閾値は第一の閾値と同じ値であってもよく、また第一の閾値より小さい値であってもよい。
【００３０】
また、負荷分散部２１はハンドオーバさせる移動端末１２の数を、各周波数で接続している移動端末１２の数から定めることにしてもよい。接続している移動端末１２の数が多ければ、それだけ負荷が高いことになる。一方の周波数の移動端末１２の数が多く、他方の周波数の移動端末１２の数が少なければ、負荷の片寄が大きいことになるので、その場合、負荷分散のためにハンドオーバさせる移動端末１２の数を多くするとよい。
【００３１】
そして、負荷分散部２１は、基地局主導で、現在接続している周波数と異なる周波数を指定して、ハンドオーバさせるものとして選択した移動端末１２にハンドオーバを行わせる。
【００３２】
図３は、本実施例におけるハンドオーバ手順を示すシーケンス図である。
【００３３】
基地局１１はＦＡ１における負荷が予め定められた負荷条件を満たし、ＦＡ２における負荷が負荷条件をみたしていなければ、ＦＡ１に接続している無線接続環境の悪い移動端末１２をＦＡ２へハンドオーバさせることを決定する。
【００３４】
図３を参照すると、移動端末１２をハンドオーバさせることを決定すると、基地局１１（ＦＡ１）は、ハンドオーバさせる移動端末１２に対して、ＢＳＨＯ−ＲＥＱ（Ｂａｓｅ  Ｓｔａｔｉｏｎ  Ｈａｎｄｏｖｅｒ  Ｒｅｑｕｅｓｔ）を送信する（ステップ１０１）。このとき、基地局１１（ＦＡ１）から移動端末１２にハンドオーバ先が指定される。指定されるハンドオーバ先はＦＡ２である。
【００３５】
基地局１１（ＦＡ１）からＢＳＨＯ−ＲＥＱを受信した移動端末１２は、ＨＯ−ＩＮＤ（Ｈａｎｄ  Ｏｖｅｒ−Ｉｎｄｉｃａｔｉｏｎ）を基地局１１（ＦＡ１）に送信し、ＦＡ２にハンドオーバすることを通知する（ステップ１０２）。
【００３６】
ＨＯ−ＩＮＤを基地局１１（ＦＡ１）に送信した移動端末１２は、ハンドオーバ先である基地局１１（ＦＡ２）に対して、ＲＮＧ−ＲＥＱ（Ｒａｎｇｉｎｇ−Ｒｅｑｕｅｓｔ）を送信する（ステップ１０３）。
【００３７】
移動端末１２からＲＮＧ−ＲＥＱを受信した基地局１１（ＦＡ２）が、移動端末１２にＲＮＧ−ＲＳＰ（Ｒａｎｇｉｎｇ−Ｒｅｓｐｏｎｓｅ）を送信することでハンドオーバ処理は完了する（ステップ１０４）。ハンドオーバが完了すると、移動端末１２は、ＦＡ１に接続した状態から、ＦＡ２に接続した状態となる。
【００３８】
尚、図３では、ＩＥＥＥ８０２．１６ｅに記載されているＨＯ処理の一部が省略されている。具体的にはＦａｓｔＲａｎｇｉｎｇの処理が省略されている。
【００３９】
ＦａｓｔＲａｎｇｉｎｇを用いる場合、移動端末１２はハンドオーバ候補の基地局１１（ＦＡ２）から報知されるＵＬ−ＭＡＰメッセージでＦａｓｔＲａｎｇｉｎｇ  ＩＥを受信できる。ＦａｓｔＲａｎｇｉｎｇとは、ハンドオーバを行う際に、移動端末１２とハンドオーバ先である基地局１１（ＦＡ２）との間で行う、ＣＤＭＡ  ｃｏｄｅを使用した、電力補正および時間補正等の処理を省略し、高速ハンドオーバを実現するための機能である。
【００４０】
ＦａｓｔＲａｎｇｉｎｇを使用しない場合は、ハンドオーバ先の基地局１１（ＦＡ２）に対し、移動端末１２からＨａｎｄｏｖｅｒ  ＣＤＭＡ  ｃｏｄｅを送信し、移動端末１２とハンドオーバ先の基地局１１（ＦＡ２）との間で電力補正および時間補正が行われる。電力補正および時間補正がＣＤＭＡ  ｃｏｄｅに対する基地局１１（ＦＡ２）での閾値を満たせば、ハンドオーバ先の基地局１１（ＦＡ２）から移動端末１２にＲＮＧ−ＲＳＰ（ｓｕｃｃｅｓｓ）を送信する。電力補正および時間補正がＣＤＭＡ  ｃｏｄｅに対する閾値を満たさない場合は、基地局１１（ＦＡ２）からＲＮＧ−ＲＳＰ（ｃｏｔｉｎｕｅ）を移動端末１２に対して送信する。ＲＮＧ−ＲＳＰ（ｃｏｔｉｎｕｅ）を受信した移動端末１２は、ＲＮＧ−ＲＳＰ（ｃｏｎｔｉｎｕｅ）で通知されたオフセット値を参照し、電力補正および時間補正を行い、ＣＤＭＡ  ｃｏｄｅを送信することを、ＲＮＧ−ＲＳＰ（ｓｕｃｃｅｓｓ）を受信するまで繰り返す。
【００４１】
これらの手順が図３では省略されている。
【００４２】
また、移動端末１２がＨＯ−ＩＮＤを送信した後のハンドオーバプロセスでは、ＩＥＥＥ８０２．１６ｅに明記されている、ハンドオーバプロセス最適化（Ｈａｎｄｏｖｅｒ  Ｐｒｏｃｅｓｓ  Ｏｐｔｉｍｉｚａｔｉｏｎ）に準じた、移動端末１２とハンドオーバ先の基地局１１（ＦＡ２）との間での端末機能の認証プロセス（ＳＢＣ−ＲＥＱ／ＲＳＰ）があるが、図３ではそれも省略している。
【００４３】
図４は、本実施例による基地局１１の負荷分散部２１の動作を示すシーケンス図である。
【００４４】
負荷分散部２１は、各周波数で接続している移動端末の台数などの負荷状況を常時管理している。そして、負荷分散部２１は、各周波数の負荷状況が負荷条件を満たすか否かによって、負荷分散のための基地局主導のハンドオーバを実施すべきか否かを判定する（ステップ２０１）。例えば、一方の周波数で負荷条件が満たされ、他方の周波数で負荷条件が満たされない状態のとき、負荷分散のためのハンドオーバを実施すべきと判断することにしてもよい。
【００４５】
基地局主導のハンドオーバを実施すべきと判断すると、負荷分散部２１は、負荷条件が満たされた周波数で接続している各移動端末１２の受信信号強度と搬送波対干渉雑音比を測定し、測定結果に基づいて、ハンドオーバさせる移動端末１２を選択する（ステップ２０２）。
【００４６】
負荷分散部２１は、ハンドオーバさせる移動端末１２を選択したら、その移動端末１２に、自局の他方の周波数へのハンドオーバを行わせる（ステップ２０３）。
【００４７】
ステップ２０１の判定において、負荷分散のためのハンドオーバを実施すべきではないと判断した場合、負荷分散部２１は基地局主導のハンドオーバを実施しない（ステップ２０４）。
【００４８】
なお、上述した実施例は、基地局１１の負荷分散部２１が両方の周波数の負荷状況を管理する構成を前提としたものであったが、本発明はこれに限定されるものではない。他の例として、基地局１１内部に周波数毎の２つの基地局があり、それらが各周波数の負荷状況を別個独立に管理する構成を前提とした実施例もありうる。その場合には周波数毎に負荷分散部２１があり、一方が他方の負荷状況を問い合わせて、負荷分散のための基地局主導のハンドオーバを実施するか否か判断すればよい。
【００４９】
図５は、周波数毎の負荷状況が別個独立の構成で管理されている場合のハンドオーバ手順を示すシーケンス図である。
【００５０】
一方の周波数割り当てを管理する負荷分散部２１（ＦＡ１）の周波数における負荷状況が所定の負荷条件を満たして場合、負荷分散部２１（ＦＡ１）は、他方の周波数割り当てを管理する負荷分散部２１（ＦＡ２）に、ＨＯ−ＲＥＱ（Ｈａｎｄ  Ｏｖｅｒ−Ｒｅｑｕｅｓｔ）を送信する（ステップ３０１）。
【００５１】
負荷分散部２１（ＦＡ２）は、負荷分散部２１（ＦＡ１）からのＨＯ−ＲＥＱを受信すると、ＨＯ−ＲＥＱに対するＨＯ−ＲＳＰ（Ｈａｎｄ  Ｏｖｅｒ−Ｒｅｓｐｏｎｓｅ）を負荷分散部２１（ＦＡ１）に送信する（ステップ３０２）。負荷分散部２１（ＦＡ２）が送信するＨＯ−ＲＳＰには、ＦＡ２の周波数で基地局１１に接続している移動端末１２の台数、下りおよび上りの無線リソース使用率等の負荷状況の情報が含まれている。
【００５２】
負荷分散部２１（ＦＡ２）からＨＯ−ＲＳＰを受信した負荷分散部２１（ＦＡ１）は、得られたＦＡ２の負荷状況と自側のＦＡ１の負荷状況とに基づいて、自側のＦＡ１で接続している移動端末１２をＦＡ２にハンドオーバさせることを決定する。
【００５３】
負荷分散部２１（ＦＡ１）は、ハンドオーバさせる移動端末１２に対して、ＢＳＨＯ−ＲＥＱ（Ｂａｓｅ  Ｓｔａｔｉｏｎ  Ｈａｎｄｏｖｅｒ  Ｒｅｑｕｅｓｔ）を送信する（ステップ４０１）。このとき、負荷分散部２１（ＦＡ１）から移動端末１２にハンドオーバ先が指定される。指定されるハンドオーバ先はＦＡ２である。
【００５４】
基地局１１からＢＳＨＯ−ＲＥＱを受信した移動端末１２は、ＨＯ−ＩＮＤ（Ｈａｎｄ  Ｏｖｅｒ−Ｉｎｄｉｃａｔｉｏｎ）を負荷分散部２１（ＦＡ１）に送信し、ＦＡ２にハンドオーバすることを通知する（ステップ４０２）。
【００５５】
ＨＯ−ＩＮＤを負荷分散部２１（ＦＡ１）に送信した移動端末１２は、ハンドオーバ先である負荷分散部２１（ＦＡ２）に対して、ＲＮＧ−ＲＥＱ（Ｒａｎｇｉｎｇ−Ｒｅｑｕｅｓｔ）を送信する（ステップ４０３）。
【００５６】
移動端末１２からＲＮＧ−ＲＥＱを受信した負荷分散部２１（ＦＡ２）が、移動端末１２にＲＮＧ−ＲＳＰ（Ｒａｎｇｉｎｇ−Ｒｅｓｐｏｎｓｅ）を送信することでハンドオーバ処理は完了する（ステップ４０４）。ハンドオーバが完了すると、移動端末１２は、ＦＡ１に接続した状態から、ＦＡ２に接続した状態となる。
【００５７】
図６は、図５の実施例における負荷分散部２１の動作を示すシーケンス図である。
【００５８】
負荷分散部２１（ＦＡ１）は、自側の周波数の負荷状況が所定の負荷条件を満たすか否か判定する（ステップ５０１）。負荷条件が満たされると、負荷分散部２１（ＦＡ１）は、他方の周波数を管理する負荷分散部２１（ＦＡ２）にＨＯ−ＲＥＱを送信する（ステップ５０２）。
【００５９】
負荷分散部２１（ＦＡ２）は、ＨＯ−ＲＥＱを受信すると、ＨＯ−ＲＥＱに対するＨＯ−ＲＳＰ（Ｈａｎｄ  Ｏｖｅｒ−Ｒｅｓｐｏｎｓｅ）を負荷分散部２１（ＦＡ１）に送信する（ステップ５０３）。負荷分散部２１（ＦＡ２）が送信するＨＯ−ＲＳＰには、ＦＡ２に接続している移動端末の台数、下りおよび上りのリソース使用率等の負荷状況の情報が含まれている。
【００６０】
負荷分散部２１（ＦＡ２）からＨＯ−ＲＳＰを受信した負荷分散部２１（ＦＡ１）は、得られたＦＡ２の負荷状況と自側であるＦＡ１の負荷状況とに基づき、負荷分散のための基地局主導のハンドオーバを実施するか否か判定する（ステップ６０１）。
【００６１】
基地局主導のハンドオーバを実施すべきと判断したら、負荷分散部２１（ＦＡ１）はハンドオーバさせる移動端末１２を選択し（ステップ６０２）、その移動端末１２にＦＡ２へハンドオーバさせる（ステップ６０３）。一方、ステップ６０１の判定で基地局主導のハンドオーバを実施しないと判断したら、負荷分散部２１（ＦＡ２）は基地局主導のハンドオーバを実施しない（ステップ６０４）。
【００６２】
以上、本発明の実施形態および実施例について述べてきたが、本発明は、これらだけに限定されるものではなく、本発明の技術思想の範囲内において、これらの実施形態および実施例を組み合わせて使用したり、一部の構成を変更したりしてもよい。
【符号の説明】
【００６３】
１１  基地局
１２  移動端末
２１  負荷分散部
２２  無線接続部
【図１】
2012015838.tif 000003
【図２】
2012015838.tif 000004
【図３】
2012015838.tif 000005
【図４】
2012015838.tif 000006
【図５】
2012015838.tif 000007
【図６】
2012015838.tif 000008